(57)【要約】【課題】複数の視聴者が同時にそれぞれ異なるモニタ装置でそれぞれ異なるコンテンツを視聴することができるコンテンツ再生装置等を提供する。【解決手段】コンテンツ再生装置１００は、ＢＳ／ＣＳデジタル放送に係るコンテンツ、ＶＨＦ／ＵＨＦ放送に係るコンテンツ、ＩＥＥＥ１３９４端子２３の入力に係るコンテンツ、ＨＤＤ１０に蓄積されているコンテンツから、再生すべきコンテンツを１つまたは２つ選択できる。それに伴って、その再生信号をどこに供給するか、つまり出力対象を選択できる。再生すべきコンテンツとして２つのコンテンツが選択される場合、それらのコンテンツ信号をＭＰＥＧデコーダ１３で時分割的にデコードし、一方の再生信号をアナログ系の出力端子１９，２０に出力し、他方の再生信号をデジタル系の出力端子１８に出力する。【選択図】　　　　図１
2004015635.tif 000002
【特許請求の範囲】
【請求項１】
エンコードされたコンテンツ信号をそれぞれ取得する複数のコンテンツ信号取得手段と、
上記複数のコンテンツ信号取得手段で取得される複数のコンテンツ信号から所定数のコンテンツ信号を選択する第１の選択手段と、
上記第１の選択手段で選択された所定数のコンテンツ信号をデコードして再生信号を得るデコード手段と、
上記デコード手段でデコードして得られた上記所定数のコンテンツ信号の再生信号をそれぞれ出力する出力対象を選択する第２の選択手段と、
上記デコード手段でデコードして得られた上記所定数のコンテンツ信号の再生信号を、それぞれ上記第２の選択手段で選択された出力対象に出力するように制御する出力制御手段と
を備えることを特徴とするコンテンツ再生装置。
【請求項２】
上記デコード手段は、
上記第１の選択手段で２以上のコンテンツ信号が選択されるとき、該２以上のコンテンツ信号を時分割的にデコードしてそれぞれの再生信号を得る
ことを特徴とする請求項１に記載のコンテンツ再生装置。
【請求項３】
上記複数のコンテンツ信号取得手段には、
少なくとも、放送信号を受信し該放送信号よりコンテンツ信号を得る受信手段、記録媒体に記録されているコンテンツ信号を再生して得る再生手段、または外部からコンテンツ信号が入力される入力手段を含む
ことを特徴とする請求項１に記載のコンテンツ再生装置。
【請求項４】
上記出力制御手段は、
上記デコード手段でデコードして得られた上記所定数のコンテンツ信号の再生信号を、それぞれスイッチ回路を介して、対応する出力端子に出力するように制御する
ことを特徴とする請求項１に記載のコンテンツ再生装置。
【請求項５】
上記出力制御手段は、
上記単一のデコード手段でデコードして得られた上記所定数のコンテンツ信号の再生信号を、それぞれバスを介して対応する出力端子に出力するように制御する
ことを特徴とする請求項１に記載のコンテンツ再生装置。
【請求項６】
エンコードされた複数のコンテンツ信号から所定数のコンテンツ信号を選択するステップと、
上記選択された所定数のコンテンツ信号をデコードして再生信号を得るステップと、
上記デコードして得られた所定数のコンテンツ信号の再生信号をそれぞれ出力する出力対象を選択するステップと、
上記デコードして得られた所定数のコンテンツ信号の再生信号を、それぞれ上記選択された出力対象に出力するように制御するステップと
を備えることを特徴とするコンテンツ再生方法。
【発明の詳細な説明】
【０００１】
【発明の属する技術分野】
この発明は、コンテンツの再生を行うコンテンツ再生装置およびコンテンツ再生方法に関する。詳しくは、所定数のコンテンツ信号を同時に選択し、該所定数のコンテンツ信号をデコード手段でデコードし、デコードされて得られた所定数の再生信号をそれぞれ選択された出力対象に出力することによって、複数の視聴者が同時にそれぞれ異なるモニタ装置でそれぞれ異なるコンテンツを視聴することができるようにしたコンテンツ再生装置およびコンテンツ再生方法に係るものである。
【０００２】
【従来の技術】
従来、映像信号と音声信号を再生する再生装置として、例えば、ビデオテープ再生装置、ＶＣＤ（Ｖｉｄｅｏ　Ｃｏｍｐａｃｔ　Ｄｉｓｋ）再生装置、ＤＶＤ（Ｄｉｇｉｔａｌ　Ｖｅｒｓａｔｉｌｅ　Ｄｉｓｋ）再生装置等が知られている。
【０００３】
また、近年、ハードディスクビデオレコーダという再生装置が実用化されている。このハードディスクビデオレコーダは、テレビジョン受信装置と複合された再生装置である。また、テレビジョン受信装置とハードディスクなどの大容量の記憶装置とを組み合わせたマルチメディア対応のホーム・サーバとして機能するものも提案されている。
【０００４】
このような再生装置は、テレビ放送のコンテンツを受信し、ハードディスクに記録し、必要に応じて記録したコンテンツを再生することができる。また、地上波のＶＨＦ／ＵＨＦ放送、放送衛星を利用したＢＳ（Ｂｒｏａｄｃａｓｔ　Ｓａｔｅｌｌｉｔｅ）デジタル放送、ＣＳ（Ｃｏｍｍｕｎｉｃａｔｉｏｎ　Ｓａｔｅｌｌｉｔｅ）デジタル放送を受信し利用できるようになっている。さらに、モデムやＩＥＥＥ１３９４などのネットワーク接続機能も装備されているため、マルチメディアに対応できる。これにより、視聴者は放送されたデジタルコンテンツおよびネットワーク上に流れているコンテンツをいつでも簡単に記録再生することができるようになっている。
【０００５】
【発明が解決しようとする課題】
上述した従来の再生装置では、再生するコンテンツは単独でしか選択できず、複数の出力端子を有していても、出力されるコンテンツは同一のものであった。つまり、複数のコンテンツを同時に選択し、当該複数のコンテンツの再生信号をそれぞれ別個の出力端子に出力することができなかった。そのため、従来の再生装置では、複数の視聴者が同時にそれぞれ異なるモニタ装置でそれぞれ異なるコンテンツを視聴することができないという不都合があった。
【０００６】
そこで、この発明は、複数の視聴者が同時にそれぞれ異なるモニタ装置でそれぞれ異なるコンテンツを視聴することができるコンテンツ再生装置およびコンテンツ再生方法を提供することを目的とする。
【０００７】
【課題を解決するための手段】
この発明に係るコンテンツ再生装置は、エンコードされたコンテンツ信号をそれぞれ取得する複数のコンテンツ信号取得手段と、複数のコンテンツ信号取得手段で取得される複数のコンテンツ信号から所定数のコンテンツ信号を選択する第１の選択手段と、第１の選択手段で選択された所定数のコンテンツ信号をデコードして再生信号を得るデコード手段と、このデコード手段でデコードして得られた所定数のコンテンツ信号の再生信号をそれぞれ出力する出力対象を選択する第２の選択手段と、デコード手段でデコードして得られた所定数のコンテンツ信号の再生信号を、それぞれ第２の選択手段で選択された出力対象に出力するように制御する出力制御手段とを備えるものである。
【０００８】
例えば、デコード手段では、第１の選択手段で２以上のコンテンツ信号が選択されるとき、該２以上のコンテンツ信号を時分割的にデコードしてそれぞれの再生信号を得られるようになされる。
【０００９】
この発明に係るコンテンツ再生方法は、エンコードされた複数のコンテンツ信号から所定数のコンテンツ信号を選択するステップと、選択された所定数のコンテンツ信号をデコードして再生信号を得るステップと、デコードして得られた所定数のコンテンツ信号の再生信号をそれぞれ出力する出力対象を選択するステップと、デコードして得られた所定数のコンテンツ信号の再生信号を、それぞれ選択された出力対象に出力するように制御するステップとを備えるものである。
【００１０】
この発明においては、所定数のコンテンツ信号を同時に選択し、この所定数のコンテンツ信号をデコード手段でデコードし、デコードされて得られた所定数の再生信号をそれぞれ選択された出力対象に出力する。これにより、再生する際に複数のコンテンツが選択される場合、選択された複数のコンテンツを同時にそれぞれ異なる出力対象に出力できるため、複数の視聴者が同時にそれぞれ異なるモニタ装置でそれぞれ異なるコンテンツを視聴することが可能となる。
【００１１】
【発明の実施の形態】
以下、図面を参照しながら、この発明の実施の形態について説明する。図１は、この発明の実施の形態のコンテンツ再生装置１００の構成を示している。
図１に示すように、コンテンツ再生装置１００は、ＢＳ／ＣＳチューナ１と、デジタル復調回路２と、エラー訂正回路３と、デマルチプレクサ４と、ＶＨＦ／ＵＨＦチューナ５と、ビデオデコーダ６と、ＭＰＥＧエンコーダ７と、ＣＰＵ８と、ＩＤＥ（Ｉｎｔｅｇｒａｔｅｄ　Ｄｅｖｉｃｅ　Ｅｌｅｃｔｒｏｎｉｃｓ）インタフェース９と、ハードディスクドライブ（以下、「ＨＤＤ」という）１０と、ＩＥＥＥ１３９４インタフェース１１と、メモリ１２と、ＭＰＥＧ（Ｍｏｖｉｎｇ　Ｐｉｃｔｕｒｅ　Ｅｘｐｅｒｔｓ　Ｇｒｏｕｐ）デコーダ１３と、ＯＳＤ（Ｏｎ　Ｓｃｒｅｅｎ　Ｄｉｓｐｌａｙ）回路１４とＤＶＩ（Ｄｉｇｉｔａｌ　Ｖｉｓｕａｌ　Ｉｎｔｅｒｆａｃｅ）インタフェース１５と、リモコン（リモートコントロール）受光部１６と、システムバス１７とから構成されている。
【００１２】
ＢＳ／ＣＳチューナ１は、ＢＳ／ＣＳアンテナ２１から送られてきた放送信号（ＢＳ−ＩＦ信号またはＣＳ−ＩＦ信号）から目的の放送信号を選択し、さらに増幅処理などを行ってベースバンド信号に変換する装置である。
【００１３】
デジタル復調回路２は、ＢＳ／ＣＳチューナ１より出力されるベースバンド信号の復調処理を行ってトランスポートストリームを得る回路である。このデジタル復調回路２は、例えば、ＴＣ８ＰＳＫ（Ｔｒｅｌｌｉｓ　Ｃｏｄｅｄ　８　Ｐｈａｓｅ　Ｓｈｉｆｔ　Ｋｅｙｉｎｇ）デコーダと、ＱＰＳＫ（Ｑｕａｄｒａｔｕｒｅ　Ｐｈａｓｅ　Ｓｈｉｆｔ　Ｋｅｙｉｎｇ）デコーダおよびＢＰＳＫ（Ｂｉｎａｒｙ　Ｐｈａｓｅ　ｓｈｉｆｔ　ｋｅｙｉｎｇ）デコーダ等の周知の回路系を含む。
【００１４】
エラー訂正回路３は、信号伝送中に発生したトランスポートストリームの誤りを訂正する回路である。エラー訂正回路３の処理によって、受信ＣＮ比（ＣａｒｅｅｒＮｏｉｓｅ　Ｒａｔｉｏｎ）が低い状態でも安定な受信が可能となる。デマルチプレクサ４は、トラスポートストリームから、ＭＰＥＧ形式でエンコーダされた映像信号や音声信号を分離し、コンテンツ信号として、ＨＤＤ１０やＭＰＥＧデコーダ１３に供給する。
【００１５】
ＶＨＦ／ＵＨＦチューナ５は、ＶＨＦ／ＵＨＦアンテナ２２から送られてきた放送信号から目的の放送信号を選択し、そして増幅、検波等の処理を行って映像信号および音声信号を得る装置である。
【００１６】
ビデオデコーダ６は、ＶＨＦ／ＵＨＦチューナ５より出力される映像信号および音声信号をアナログ信号からデジタル信号に変換する回路である。ＭＰＥＧエンコーダ７は、ビデオデコーダ６でデジタル信号に変換された映像信号および音声信号に対してＭＰＥＧ形式でエンコードし、エンコードされた映像信号や音声信号を、コンテンツ信号として、ＨＤＤ１０やＭＰＥＧデコーダ１３に供給する。
【００１７】
ＣＰＵ８は、システムバス１７に接続されており、予め用意されたプログラムにより再生装置１００の全体動作を制御する。また、ＨＤＤ（Ｈａｒｄ　Ｄｉｓｃ　Ｄｒｉｖｅ）１０はＩＤＥインタフェース９を介してシステムバス１７に接続されている。このＨＤＤ１０は、ＢＳ／ＣＳチューナ１およびＶＨＦ／ＵＨＦチューナ５で受信された放送信号に係るコンテンツ信号（ＭＰＥＧ形式でエンコードされた映像信号および音声信号）等を記録し再生できる蓄積メディアである。ＩＤＥインタフェース９は、ＨＤＤ１０で再生されたコンテンツ信号をシステムバス１７を介してＭＰＥＧデコーダ１３に供給する。
【００１８】
ＩＥＥＥ１３９４インタフェース１１は、リアルタイム性を備えるシリアル型インタフェースである。このＩＥＥＥ１３９４インタフェース１１はシステムバス１７に接続されており、ＩＥＥＥ１３９４端子２３を介して外部機器と接続される。インタフェース１１は、端子２３に入力されるコンテンツ信号（ＭＰＥＧ形式でエンコードされた映像信号および音声信号）を、システムバス１７を介してＨＤＤ１０やＭＰＥＧデコーダ１３に供給する。
【００１９】
メモリ１２は、ＭＰＥＧデコーダ１３に接続されている。このメモリ１２はＭＰＥＧデコーダ１３がデコード処理を行う際に、コンテンツ信号、それをデコードして得られた再生信号等を一時的に保持するものである。
【００２０】
ＭＰＥＧデコーダ１３は、ＭＰＥＧ形式でエンコードされているコンテンツ信号（映像信号および音声信号）のデコード処理を行うものである。後述するように本実施の形態においては、２つのコンテンツ信号を再生すべきものとして同時に選択できる。その場合、ＭＰＥＧデコーダ１３は、選択された２つのコンテンツ信号を時分割的にデコードし、得られたそれぞれの再生信号を対応する出力端子に出力する。
【００２１】
ＯＳＤ回路１４は、ＣＰＵ８の制御により、モニタ装置の画面上に選局チャンネル、音量、さらには後述するようにコンテンツ選択画面、出力選択画面等を表示するための表示信号ＳＣＨを生成してＭＰＥＧデコーダ１３に供給する。
【００２２】
また、ＤＶＩインタフェース回路１５は、ＭＰＥＧデコーダ１３より出力されるデジタル映像信号およびデジタル音声信号をＤＶＩ出力端子１８に出力するために用いられる。
【００２３】
また、リモコン受光部１６は、入力操作手段としてのリモートコントローラ（リモコン）２４からの赤外線などによる操作信号を受信し、その操作信号をシステムバス１７を介してＣＰＵ８に供給する回路である。
【００２４】
図２は、ＭＰＥＧデコーダ１３の構成を示している。ＭＰＥＧデコーダ１３は、内部バス３０と、バスインタフェース３１と、バッファ（ｂｕｆｆｅｒ）３２と、ＭＰＥＧデコーダ３３と、メモリインタフェース３４と、バッファ（ｂｕｆｆｅｒ）３５と、スイッチ回路３６と、ＭＰＵ（Ｍｉｃｒｏ　Ｐｒｏｃｅｓｓｏｒ　Ｕｎｉｔ）３７と、ＲＯＭ３８と、デジタル出力回路３９と、ＮＴＳＣエンコーダ４０と、Ｄ／Ａ変換器４１とから構成されている。ＭＰＵ３７は、ＭＰＥＧデコーダ１３の全体動作は制御するものである。
【００２５】
バスインタフェース３１はシステムバス１７に接続されており、コンテンツ信号はこのバスインタフェース３１を介してバッファ３２に入力される。そして内部バス３０およびメモリインタフェース３４を介してメモリ１２に転送され、メモリ１２に一時的に蓄積される。
【００２６】
ＭＰＥＧデコーダ３３は、コンテンツ信号のデコードを行い、デコードされて得られるコンテンツの再生信号（映像信号および音声信号）を内部バス３０およびメモリインタフェース３４を介してメモリ１２に転送する。
【００２７】
このコンテンツの再生信号はメモリ１２から読み出され、メモリインタフェース３４，内部バス３０およびバッファ３５を介してスイッチ回路３６に供給される。スイッチ回路３６は、バッファ３５より供給されるコンテンツの再生信号を、ユーザによる出力端子の選択に応じて、ＮＴＳＣエンコーダ４０およびＤ／Ａ変換器４１、あるいはデジタル出力回路３９に出力する。
【００２８】
ここで、再生すべきコンテンツとして２つのコンテンツが同時に選択された場合には、ＭＰＥＧデコーダ３３はそれぞれのコンテンツ信号を時分割的にデコードする。そして、それぞれのコンテンツの再生信号は、スイッチ回路３６により、ＮＴＳＣエンコーダ４０およびＤ／Ａ変換器４１と、デジタル出力回路３９とに振り分けて出力される。
【００２９】
デジタル出力回路３９はデジタル映像信号およびデジタル音声信号をＤＶＩフォーマットに変換して出力する回路である。ＮＴＳＣエンコーダ４０は、スイッチ回路３６からのデジタル映像信号をＮＴＳＣ方式のテレビ信号に変換する回路である。Ｄ／Ａ変換器４１は、スイッチ回路３６からのデジタル音声信号をアナログ音声信号に変換する回路である。
【００３０】
なお、ＯＳＤ回路１４で生成される表示信号ＳＣＨは、デジタル出力回路３９およびＮＴＳＣエンコーダ４０に供給され、いずれの系の映像信号にも表示信号ＳＣＨが合成される。これにより、アナログ系の映像信号端子１９（図１参照）に接続されるモニタ装置、デジタル系のＤＶＩ出力端子１８（図１参照）に接続されるモニタ装置のいずれの画面にも、表示信号ＳＣＨによる、選局チャンネル、音量、コンテンツ選択画面、出力選択画面等を表示できる。
【００３１】
上述したように、再生すべきコンテンツとして２つのコンテンツが同時に選択された場合、ＭＰＥＧデコーダ３３ではそれぞれのコンテンツ信号が時分割的にデコードされる。図３は、その場合におけるＭＰＥＧデコーダ１３の内部処理のタイミングを示している。
【００３２】
まず、システムバス１７からの第１のコンテンツに係るコンテンツ信号Ｓ１を内部バス３０およびメモリインタフェース３４を介してメモリ１２に転送して蓄積する。次に、ＭＰＥＧデコーダ３３は、メモリ１２に蓄積されているコンテンツ信号Ｓ１を読み出し、デコード処理を行って再生信号Ｖ１を得る。この再生信号Ｖ１を、内部バス３０およびメモリインタフェース３４を介してメモリ１２に転送して蓄積する。次に、再生信号Ｖ１をメモリ１２から読み出してバッファ回路３５に一時的に蓄積し、スイッチ回路３６の切り換えに合わせて順次出力する。
【００３３】
同様に、システムバス１７からの第２のコンテンツに係るコンテンツ信号Ｓ２を内部バス３０およびメモリインタフェース３４を介してメモリ１２へ転送して蓄積する。次に、ＭＰＥＧデコーダ３３は、メモリ１２に蓄積されているコンテンツのコンテンツ信号Ｓ２を読み出し、デコード処理を行って再生信号Ｖ２を得る。この再生信号Ｖ２を、内部バス３０およびメモリインタフェース３４を介してメモリ１２に転送して蓄積する。次に、再生信号Ｖ２をメモリ１２から読み出し、バッファ回路３５に一時的に蓄積し、スイッチ回路３６の切り換えに合わせて順次出力する。
【００３４】
次に、図１に示すコンテンツ再生装置１００の動作について説明する。
コンテンツ再生装置１００を用いてコンテンツを再生する際に、ユーザはリモコン２４を用いて再生すべきコンテンツを選択する。コンテンツの選択は、モニタ装置の画面上にコンテンツ選択画面を表示して行うことができる。例えば、図４に示すようなコンテンツ選択画面で、再生すべきコンテンツを選択する。図示の例は「ＢＳ／ＣＳ」を選択した状態を示している。本実施の形態においては、再生すべきコンテンツとして、１つまたは２つのコンテンツを選択できる。
【００３５】
また、コンテンツの選択に対応して、ユーザはそのコンテンツの再生信号を出力すべき出力対象を選択する。出力対象としては、例えば出力端子とする。出力端子の選択も、モニタ装置の画面上に出力端子選択画面を表示して行うことができる。例えば、図５に示すような出力端子選択画面で、選択されたコンテンツを出力すべき出力端子を選択する。図示の例は、デジタル系の出力端子を選択した状態を示している。なお、出力対象としてコンテンツ再生装置１００に接続されているモニタ装置にしてもよい。この場合、例えば出力選択画面にリビング、寝室、子供部屋など選択肢を表示させ、各部屋に設置されたモニタ装置を出力対象として選択する。
【００３６】
ＢＳ／ＣＳデジタル放送に係るコンテンツが選択された場合について説明する。
ＢＳ／ＣＳチューナ１では、ＢＳ／ＣＳアンテナ２１より送られてくる放送信号から目的のチャネルに対応する放送信号を選択し、そして増幅など処理を行ってベースバンド信号を出力する。ＢＳ／ＣＳチューナ１で得られたベースバンド信号はデジタル復調回路２に入力される。デジタル復調回路２で信号の復調処理が行われてトランスポートストリームが得られる。
【００３７】
このトランスポートストリームはエラー訂正回路３でエラー訂正された後にデマルチプレクサ４に供給される。デマルチプレクサ４は、トランスポートストリームから、ＭＰＥＧ形式でエンコーダされた映像信号および音声信号を分離する。この分離された映像信号および音声信号は、コンテンツ信号として、システムバス１７を介してＭＰＥＧデコーダ１３に供給される。
【００３８】
ＭＰＥＧデコーダ１３はこのコンテンツ信号に対してデコード処理を施し、得られた再生信号（映像信号および音声信号）を出力する。この場合、出力端子の選択に応じて、この再生信号はアナログ系の出力端子１９，２０、あるいはデジタル系の出力端子１８に出力される。なお、アナログ系およびデジタル系の双方の出力端子に出力するようにしてもよい。
【００３９】
次に、地上波テレビジョン放送に係るコンテンツが選択された場合について説明する。
ＶＨＦ／ＵＨＦチューナ５は、ＶＨＦ／ＵＨＦアンテナ２２より送られてくる放送信号から目的のチャネルに対応する放送信号を選択し、そして増幅処理、検波処理等を行って映像信号および音声信号を生成する。これら映像信号および音声信号はビデオデコーダ６に供給されてアナログ信号からデジタル信号に変換され、その後にＭＰＥＧエンコーダ７に供給される。
【００４０】
ＭＰＥＧエンコーダ７は、ビデオデコーダ６でデジタル信号に変換された映像信号および音声信号に対してＭＰＥＧ形式でエンコードする。このＭＰＥＧエンコーダ７で得られた映像信号および音声信号は、コンテンツ信号として、システムバス１７を介してＭＰＥＧデコーダ１３に供給される。
【００４１】
ＭＰＥＧデコーダ１３はこのコンテンツ信号に対してデコード処理を施し、得られた再生信号（映像信号および音声信号）を出力する。この場合、出力端子の選択に応じて、この再生信号はアナログ系の出力端子１９，２０、あるいはデジタル系の出力端子１８に出力される。なお、アナログ系およびデジタル系の双方の出力端子に出力するようにしてもよい。
【００４２】
次に、ＩＥＥＥ１３９４端子２３に入力されるコンテンツが選択された場合について説明する。
端子２３に入力されたコンテンツ信号（ＭＰＥＧ形式でエンコードされた映像信号および音声信号）は、インタフェース１１およびシステムバス１７を介して、ＭＰＥＧデコーダ１３に供給される。
【００４３】
ＭＰＥＧデコーダ１３はこのコンテンツ信号に対してデコード処理を施し、得られた再生信号（映像信号および音声信号）を出力する。この場合、出力端子の選択に応じて、この再生信号はアナログ系の出力端子１９，２０、あるいはデジタル系の出力端子１８に出力される。なお、アナログ系およびデジタル系の双方の出力端子に出力するようにしてもよい。
【００４４】
次に、ＨＤＤ１０に蓄積されたコンテンツが選択された場合について説明する。
ＨＤＤ１０で再生されたコンテンツ信号（ＭＰＥＧ形式でエンコードされた映像信号および音声信号）は、ＩＤＥインタフェース９およびシステムバス１７を介して、ＭＰＥＧデコーダ１３に供給される。
【００４５】
ＭＰＥＧデコーダ１３はこのコンテンツ信号に対してデコード処理を施し、得られた再生信号（映像信号および音声信号）を出力する。この場合、出力端子の選択に応じて、この再生信号はアナログ系の出力端子１９，２０、あるいはデジタル系の出力端子１８に出力される。なお、アナログ系およびデジタル系の双方の出力端子に出力するようにしてもよい。
【００４６】
次に、再生すべきコンテンツとして同時に２つのコンテンツが選択された場合について説明する。ここでは、一例として、ＢＳ／ＣＳデジタル放送に係るコンテンツと、ＨＤＤ１０に蓄積されたコンテンツとが選択された場合について説明する。
【００４７】
この場合、ＢＳ／ＣＳデジタル放送に係るコンテンツをコンテンツＡとし、このコンテンツＡの再生信号を出力すべき出力端子としてアナログ系の出力端子が選択されたとする。また、ＨＤＤ１０に蓄積されたコンテンツをコンテンツＢとし、このコンテンツＢの再生信号を出力すべき出力端子としてデジタル系の出力端子が選択されたとする。
【００４８】
この場合、デマルチプレクサ４で抽出されたＢＳ／ＣＳデジタル放送に係るコンテンツＡの信号は、システムバス１７を介してＭＰＥＧデコーダ１３に供給される。同時に、ＨＤＤ１０で再生されたコンテンツＢの信号は、ＩＤＥインタフェース９およびシステムバス１７を介してＭＰＥＧデコーダ１３に供給される。
【００４９】
ＭＰＥＧデコーダ１３は、上述したように（図２および図３参照）、システムバス１７を介して転送されてくる二つのコンテンツ信号をメモリ１２に一時的に蓄積し、時分割的にデコード処理を行って、それぞれ再生信号を出力する。この場合、コンテンツＡの再生信号はアナログ系の出力端子（端子１９，２０）に出力され、一方コンテンツＢの再生信号はデジタル系の出力端子１８に出力される。
【００５０】
このように本実施の形態においては、再生すべきコンテンツとして２つのコンテンツを同時に選択し、これら２つのコンテンツの再生信号をそれぞれ異なる出力端子に出力できる。したがって、二人のユーザが同時にそれぞれ異なるモニタ装置でそれぞれ異なるコンテンツを視聴することができ、使い勝手のよいものとなる。
【００５１】
また、本実施の形態においては、再生すべきコンテンツとして２つのコンテンツを同時に選択した場合、それぞれのコンテンツの信号を単一のＭＰＥＧデコーダ１３により時分割的にデコード処理してそれぞれの再生信号を得るものであり、回路規模を小さくでき、また安価に構成できる。
【００５２】
なお、上述実施の形態において、ＭＰＥＧデコーダ１３は、図２に示すように、ＭＰＥＧデコーダ３３でデコード処理されて得られた再生信号をメモリ１２に一時的に蓄積した後に、このメモリ１２よりバッファ３５に再生信号を読み出し、この再生信号をスイッチ回路３６を介してＮＴＳＣエンコーダ４０、Ｄ／Ａ変換器４１、あるいはデジタル出力回路３９に供給する構成としたものである。
【００５３】
しかし、ＭＰＥＧデコーダ３３でデコード処理を行った後、メモリ１２に一時的に蓄積するのではなく、ＤＭＡ（Ｄｉｒｅｃｔ　Ｍｅｍｏｒｙ　Ａｃｃｅｓｓ）機能により、再生信号を内部バス３０を介して直接ＮＴＳＣエンコーダ４０、Ｄ／Ａ変換器４１、あるいはデジタル出力回路３９に供給する構成としてもよい。
【００５４】
図６は、その場合における、ＭＰＥＧデコーダ１３Ａの構成を示している。この図６において、図２と対応する部分には同一符号を付して示している。
【００５５】
ＭＰＥＧデコーダ１３Ａは、バスインタフェース３１と、バッファ３２と、ＭＰＥＧデコーダ３３と、メモリインタフェース３４と、バッファ３５と、ＭＰＵ３７と、ＲＯＭ３８と、デジタル出力回路３９と、ＮＴＳＣエンコーダ４０と、Ｄ／Ａ変換器４１とから構成されている。ＭＰＵ３７は、ＭＰＥＧデコーダ１３の全体動作は制御するものである。
【００５６】
バスインタフェース３１はシステムバス１７に接続されており、コンテンツ信号はこのバスインタフェース３１を介してバッファ３２に入力される。そして内部バス３０およびメモリインタフェース３４を介してメモリ１２に転送され、メモリ１２に一時的に蓄積される。
【００５７】
ＭＰＥＧデコーダ３３は、コンテンツ信号のデコードを行い、デコードされて得られるコンテンツの再生信号（映像信号および音声信号）を、ＤＭＡ機能により内部バス３０を介してバッファ３５あるいはデジタル出力回路３９に転送する。そして、バッファ３５に転送される再生信号は、さらにＮＴＳＣエンコーダ４０およびＤ／Ａ変換器４１に供給される。
【００５８】
このようにＤＭＡ機能を利用するものによれば、図２に示すＭＰＥＧデコーダ１３と比べて、スイッチ回路３６を設けなくてもよくなる。そのため、ＭＰＥＧデコーダ１３のチップ製作が容易となる。
【００５９】
また、上述実施の形態では説明していないが、再生すべき２つのコンテンツとして、ＨＤＤ１０に記録されている２つのコンテンツを選択できるようにしてもよい。この場合には、ＨＤＤ１０から２つのコンテンツに係る信号が再生され、それぞれのコンテンツ信号がＩＤＥインタフェース９およびシステムバス１７を介してＭＰＥＧデコーダ１３に供給される。そして、ＭＰＥＧデコーダ１３でそれぞれのコンテンツ信号が時分割的にデコード処理され、一方の再生信号はアナログ系の出力端子１９，２０に出力され、他方の再生信号はデジタル系の出力端子１８に出力される。
【００６０】
また、上述実施の形態においては、再生すべきコンテンツとして最高２つのコンテンツを選択できるものを示したが、３つ以上のコンテンツを選択できるようにしてもよい。その場合には、３つ以上の出力対象が必要となる。例えば、出力対象としては、アナログ系の出力端子１９，２０、デジタル系の出力端子１８に接続されるモニタ装置の他に、ＩＥＥＥ１３９４端子２３を介して接続される１個または複数個のモニタ装置を考えることができる。
【００６１】
また、上述実施の形態においては、高速デジタルインタフェースとしてＩＥＥＥ１３９４インタフェース１１を用いたが、これに限定されるものではない。例えば、イーサネット（登録商標）インタフェースを用いてもよい。
【００６２】
【発明の効果】
この発明によれば、所定数のコンテンツ信号を同時に選択し、該所定数のコンテンツ信号をデコード手段でデコードし、デコードされて得られた所定数の再生信号をそれぞれ選択された出力対象に出力するものであり、複数の視聴者が同時にそれぞれ異なるモニタ装置でそれぞれ異なるコンテンツを視聴することができ、使い勝手が向上する。
【図面の簡単な説明】
【図１】実施の形態としてのコンテンツ再生装置の構成を示すブロック図である。
【図２】ＭＰＥＧデコーダの構成を示すブロック図である。
【図３】ＭＰＥＧデコーダの内部処理のタイミングを示すタイミングチャートである。
【図４】コンテンツ選択画面の例を示す図である。
【図５】出力選択画面の例を示す図である。
【図６】ＭＰＥＧデコーダの他の構成を示すブロック図である。
【符号の説明】
１・・・ＢＳ／ＣＳチューナ、２・・・デジタル復調回路、３・・・エラー訂正回路、４・・・デマルチプレクサ、５・・・ＶＨＦ／ＵＨＦチューナ、６・・・ビデオデコーダ、７・・・ＭＰＥＧエンコーダ、８・・・ＣＰＵ、９・・・ＩＤＥインタフェース、１０・・・ＨＤＤ、１１・・・ＩＥＥＥ１３９４インタフェース、１２・・・メモリ、１３，１３Ａ・・・ＭＰＥＧデコーダ、１４・・・ＯＳＤ、１５・・・ＤＶＩインタフェース、１６・・・リモコン受光部、１７・・・システムバス、１８・・・ＤＶＩ出力端子、１９・・・映像出力端子、２０・・・音声出力端子、２１・・・ＢＳ／ＣＳアンテナ、２２・・・ＶＨＦ／ＵＨＦアンテナ、２３・・・ＩＥＥＥ１３９４端子、２４・・・リモコン、３０・・・内部バス、３１・・・バスインタフェース、３２，３５・・・バッファ、３３・・・ＭＰＥＧデコーダ、３６・・・スイッチ回路、３７・・・ＭＰＵ、３８・・・ＲＯＭ、３９・・・デジタル出力回路、４０・・・ＮＴＳＣエンコーダ、４１・・・Ｄ／Ａ変換器、１００・・・コンテンツ再生装置
【図１】
2004015635.tif 000003
【図２】
2004015635.tif 000004
【図３】
2004015635.tif 000005
【図４】
2004015635.tif 000006
【図５】
2004015635.tif 000007
【図６】
2004015635.tif 000008